(57)【要約】【課題】  本発明はプラズマディスプレイパネル及びその駆動方法に関して開示する。【解決手段】  本発明によるプラズマディスプレイパネルの駆動方法は一つの選択回路グループに含まれた複数の選択回路の出力を並列連結して前記一つの第１電極に駆動信号を印加し、前記複数の第１電極に順次に駆動信号を印加するが、次の駆動信号が印加される前に所定時間以前駆動信号を出力する第１選択回路グループに含まれた選択回路と次の駆動信号を出力する第２選択回路グループに含まれた選択回路の出力をフローティングさせる。このようにすると、選択回路の駆動電流及び電力容量が増加して小型ＰＤＰに用いられる低容量のドライバーＩＣで大型ＰＤＰを駆動することができる。【選択図】            図４
2005141193.tif 000002
【特許請求の範囲】
【請求項１】
複数の第１電極を含むパネル部と、
前記第１電極に順次に走査信号を印加し、各々の複数の選択回路からなる複数の選択回路グループを含む駆動部とを含み、
前記一つの選択回路グループに含まれた選択回路の出力を並列連結した出力端を通じて前記第１走査電極に走査信号を印加することを特徴とするプラズマディスプレイパネル。
【請求項２】
前記各々の選択回路は前記走査信号に該当する電圧を供給する第１電源に連結された第１スイッチと、第２電源に連結された第２スイッチを含み、
前記一つの選択回路グループに含まれた各々の選択回路の第１スイッチが同時にオンされて第２スイッチが同時にオフされて、前記第１電極に駆動信号が印加されることを特徴とする、請求項１に記載のプラズマディスプレイパネル。
【請求項３】
前記複数の第１電極に順次に駆動信号を印加する際に、次の駆動信号を印加する前に、前記複数の選択回路グループに含まれた全てのスイッチを所定時間オフさせて出力をフローティングさせることを特徴とする、請求項２に記載のプラズマディスプレイパネル。
【請求項４】
前記複数の第１電極に順次に駆動信号を印加する際に、次の駆動信号を印加する前に、直前に駆動信号を印加している選択回路グループと次の駆動信号を印加する選択回路グループとに含まれた全てのスイッチを所定時間オフさせて出力をフローティングさせることを特徴とする、請求項２に記載のプラズマディスプレイパネル。
【請求項５】
前記第１電極は走査電極であることを特徴とする請求項１乃至請求項４のうちの何れかに記載のプラズマディスプレイパネル。
【請求項６】
前記第１電極はアドレス電極であることを特徴とする請求項１乃至請求項４のうちの何れかに記載のプラズマディスプレイパネル。
【請求項７】
複数の第１電極と、前記第１電極に駆動信号を印加して各々の複数の選択回路からなる複数の選択回路グループを含んだ駆動部を含むプラズマディスプレイパネルの駆動方法において、
前記一つの選択回路グループに含まれた複数の選択回路の出力を並列連結して前記一つの第１電極に駆動信号を印加し、
前記複数の第１電極に順次に駆動信号を印加する際に、次の駆動信号が印加される前に、直前に駆動信号を出力している第１選択回路グループに含まれた選択回路と次の駆動信号を出力する第２選択回路グループとに含まれた選択回路の出力をフローティングさせることを特徴とするプラズマディスプレイパネルの駆動方法。
【請求項８】
前記複数の選択回路グループに属する全ての選択回路の出力を前記所定時間フローティングさせることを特徴とする、請求項７に記載のプラズマディスプレイパネルの駆動方法。
【請求項９】
前記第１及び第２選択回路のグループを除いた選択回路のグループに含まれた選択回路は正常動作させることを特徴とする、請求項７に記載のプラズマディスプレイパネルの駆動方法。
【発明の詳細な説明】
【技術分野】
【０００１】
本発明はプラズマディスプレイパネル（ＰＤＰ）に関し、より詳しくは交流型プラズマディスプレイパネルの駆動回路に関する。
【背景技術】
【０００２】
最近、平面ディスプレイ装置の中で、ＰＤＰは他のディスプレイ装置に比べて輝度及び発光効率が高くて視野角が広いという長所によって、特に脚光を浴びている。
【０００３】
プラズマディスプレイパネルは、気体放電によって生成されたプラズマを用いて文字または映像を表示する平面表示装置であって、その大きさに応じて数十から数百万個以上の画素がマトリックス形態に配列されている。まず、図１及び図２を参照してプラズマディスプレイパネルの構造について説明する。
【０００４】
図１はプラズマディスプレイパネルの一部斜視図であり、図２はプラズマディスプレイパネルの電極配列図を示す。
【０００５】
図１に示したように、プラズマディスプレイパネルは互いに対向して離れている二つのガラス基板１、６を含む。ガラス基板１の上には走査電極４と維持電極５が対になって平行に形成されており、走査電極４と維持電極５は誘電体層２及び保護膜３で覆われている。ガラス基板６の上には複数のアドレス電極８が形成されており、アドレス電極８は絶縁体層７で覆われている。隣接するアドレス電極８の中間にある絶縁体層７の上にはアドレス電極８に平行して隔壁９が形成されている。また、絶縁体層７の表面及び隔壁９の両側面に蛍光体１０が形成されている。ガラス基板１、６は走査電極４及び維持電極５の走査・維持電極対とアドレス電極８が直交するような状態に放電空間１１を隔てて対向配置されている。アドレス電極８と、走査・維持電極対との交差部にある放電空間１１が放電セル１２を形成する。
【０００６】
そして図２に示したように、プラズマディスプレイパネルの電極は、ｎ×ｍのマトリックス構造を有している。複数のアドレス電極Ａ１-Ａｍが縦方向に伸びて配列され、横方向に伸びる複数の走査電極Ｙ１-Ｙｎ及び維持電極Ｘ１-Ｘｎが対で配列されている。
【０００７】
一般にプラズマディスプレイパネルは、１フレームに期間を複数のサブフィールド期間に分けて駆動され、各サブフィールドは互いに異なる回数の維持放電を行い、各画素毎のサブフィールド点灯有無の組み合わせによって任意の階調が表現される。一般に各サブフィールドはリセット期間、アドレス期間、維持期間からなる。
【０００８】
リセット期間は、以前の維持放電で形成された壁電荷を消去して、次のアドレス放電を安定に遂行するための壁電荷を所定の状態にセットアップ（積み上げ）する役割を果たす。アドレス期間は、ｎ×ｍマトリックス構造の画素（セル）を備えるパネルの中で、点灯するセルと点灯しないセルを選別して、点灯するセルに壁電荷を積み上げ動作を行う期間であって、この動作をアドレシングという。維持期間は、アドレシングされたセルに実際に画像を発光表示するための維持放電を遂行する期間である。
【０００９】
この時、壁電荷というのは各電極に近い放電セルの壁（例えば、誘電体層）に形成されて電極に蓄積される電荷を言う。このような壁電荷が実際に電極自体に接触することはないが、ここでは壁電荷が電極に“形成される”、“蓄積される”または“積まれる”のように説明する。また、壁電圧は壁電荷によって放電セルの壁に形成される電位差を言う。
【００１０】
一方、ＰＤＰのアドレシング動作はスキャンＩＣとアドレスＩＣという２個の集積回路によって遂行され、両ＩＣは各々直列連結された２つのスイッチを含む複数の選択回路を含む。また、スキャン選択回路とアドレス選択回路の出力は各々スキャン電極（Ｙ電極）とアドレス電極に１:１に対応される。一般に一つのドライバーＩＣには複数の選択回路が含まれるが、以下では説明の便宜のために一つのドライバーＩＣに一つの選択回路が含まれると仮定する。
【００１１】
図３はこのような従来技術によるスキャンＩＣとＹ電極の連結状態を示した図である。
【００１２】
図３に示すように、スキャンＩＣ１の出力はスキャン電極Ｙ１に連結されており、スキャンＩＣ２の出力はスキャン電極Ｙ２に連結されている。
【００１３】
ところが、最近はパネルが大型化される傾向にあって、これにより回路素子の容量も次第に増加している。従って、ドライバーＩＣ（スキャンＩＣ及びアドレスＩＣ）の容量も大型化されるべきである。特に、７０インチ級ＰＤＰの駆動電流は４０インチ級ＰＤＰの３倍程度であるので、このような大容量の電流に耐えることができるドライバーＩＣの必要性が浮上中である。しかし、このような大型ＰＤＰの場合、４０インチ級より生産量が少ないために専用ドライバーＩＣを開発することは費用的な側面から有利ではない。
【発明の開示】
【発明が解決しようとする課題】
【００１４】
本発明が目的とする技術的課題は、低容量のドライバーＩＣを用いて大型ＰＤＰを駆動するためのプラズマディスプレイパネルの駆動回路を提供することにある。
【課題を解決するための手段】
【００１５】
このような技術的課題を達成するための本発明の特徴によるプラズマディスプレイパネルは複数の第１電極を含むパネル部と、前記第１電極に順次に走査信号を印加し、各々複数の選択回路からなる複数の選択回路グループを含む駆動部とを含み、前記一つの選択回路グループに含まれた選択回路の出力を並列連結した出力端を通じて前記第１走査電極に走査信号を印加する。
【００１６】
この時、前記各々の選択回路は前記走査信号に該当する電圧を供給する第１電源に連結された第１スイッチと、第２電源に連結された第２スイッチを含み、前記一つの選択回路グループに含まれた各々の選択回路の第１スイッチが同時にオンされて第２スイッチが同時にオフされて前記第１電極に駆動信号が印加される。
【００１７】
また、前記複数の第１電極に順次に駆動信号を印加する際に、次の駆動信号を印加する前に、前記複数の選択回路グループに含まれた全てのスイッチを所定時間オフさせて出力をフローティングさせる。
【００１８】
前記複数の第１電極に順次に駆動信号を印加する際に、次の駆動信号を印加する前に、直前に駆動信号を印加している選択回路グループと次の駆動信号を印加する選択回路グループとに含まれた全てのスイッチを所定時間オフさせて出力をフローティングさせる。
【００１９】
この時、前記第１電極は走査電極、またはアドレス電極であるのが好ましい。
【００２０】
本発明の特徴によるプラズマディスプレイパネルの駆動方法は、複数の第１電極と、前記第１電極に駆動信号を印加して各々複数の選択回路からなる複数の選択回路グループを含んだ駆動部を含むプラズマディスプレイパネルの駆動方法であって、
前記一つの選択回路グループに含まれた複数の選択回路の出力を並列連結して前記一つの第１電極に駆動信号を印加し、前記複数の第１電極に順次に駆動信号を印加する際に、次の駆動信号が印加される前、直前に駆動信号を出力している第１選択回路グループに含まれた選択回路と次の駆動信号を出力する第２選択回路グループとに含まれた選択回路の出力を所定時間フローティングさせる。
【００２１】
この時、前記複数の選択回路グループに属する全ての選択回路の出力を前記所定時間フローティングさせたり、前記第１及び第２選択回路グループを除いた選択回路グループに含まれた選択回路は正常動作させることができる。
【発明の効果】
【００２２】
以上のように本発明によると、駆動電流及び電力容量を増加させるために二つの選択回路を並列連結して一つのスキャン電極またはアドレス電極を駆動することによって小型ＰＤＰに用いられる低容量のドライバーＩＣで大型ＰＤＰを駆動することができる。
【発明を実施するための最良の形態】
【００２３】
下記の添付図面を参考として本発明の実施例に対して本発明の属する技術分野における通常の知識を有する者が容易に実施できるように詳細に説明する。しかし、本発明は多様な相異した形態で実現でき、ここで説明する実施例に限定されない。図面で本発明を明確に説明するために説明と関係ない部分は省略した。明細書全体を通じて類似した部分については同一な図面符号を付けた。
【００２４】
まず、本発明の実施例によるプラズマディスプレイパネルに対して図４を参考として詳細に説明する。
【００２５】
図４は本発明の実施例によるプラズマディスプレイパネル装置を示す図面である。
【００２６】
図４に示したように、本発明の実施例によるプラズマディスプレイパネル装置はプラズマパネル１００、アドレス駆動部２００、Ｙ電極駆動部３２０、Ｘ電極駆動部３４０及び制御部４００を含む。
【００２７】
プラズマパネル１００は列方向に伸びて行方向に順次配列されている複数のアドレス電極Ａ１〜Ａｍ、行方向に伸びて列方向に順次配列されている第１電極Ｙ１〜Ｙｎ（以下、Ｙ電極という）及び第２電極Ｘ１〜Ｘｎ（以下、Ｘ電極という）を含む。
【００２８】
アドレス駆動部２００は制御部２００からアドレス駆動制御信号ＳＡを受信して表示しようとする放電セルを選択するための表示データ信号を各アドレス電極に印加する。
【００２９】
Ｙ電極駆動部３２０及びＸ電極駆動部３４０は制御部２００から各々Ｙ電極駆動信号ＳＹとＸ電極駆動信号ＳＸを受信してＸ電極とＹ電極に印加する。
【００３０】
制御部４００は外部から映像信号を受信し、アドレス駆動制御信号ＳＡ、Ｙ電極駆動信号ＳＹ及びＸ電極駆動信号ＳＸを生成して各々アドレス駆動部２００、Ｙ電極駆動部３２０及びＸ電極駆動部３４０に伝達する。
【００３１】
（第１実施例）
図５は本発明の第１実施例によるＹ電極駆動部３２０に含まれたスキャンＩＣ内の選択回路とＹ電極の連結状態を示した図面である。図５に示されているように、本発明の第１実施例によるＹ電極駆動部３２０は二つの選択回路ＳＣ１、ＳＣ３の出力を並列連結して電流容量を増加させ、一つのＹ電極Ｙ１に連結する。同様に二つの選択回路ＳＣ２、ＳＣ４の出力を並列連結して次のＹ電極Ｙ２に連結する。
【００３２】
このような回路を用いてＹ電極にスキャン電圧を印加する時には、スイッチＭ１１とスイッチＭ３１を同時にオンオフ（開閉）させ、スイッチＭ１２とスイッチＭ３２を同時にオンオフさせる。従って、二つのスイッチが並列連結されるので、理屈としては、各スイッチに流れる電流を、負荷電流の５０％に減らすことができる。
【００３３】
ところが、このようなスキャンＩＣの選択回路を構成するスイッチとして同じ型式の素子を用いる場合でも、各スイッチごとにオン・オフのタイミングが少しずつ異なるために、導通させたはずのスイッチと遮断させたはずのスイッチが同時に導通している期間を生じることがある。
【００３４】
例えば、図５において、ローレベルのスキャンパルスを、Ｙ１に印加した後にＹ２に印加する時、切換えの瞬間に、Ｙ１への出力はローからハイに変更されて、Ｙ２への出力がハイからローに変更される。従って、スイッチＭ１２、Ｍ３２はオン（導通）状態からオフ（遮断）状態になって、スイッチＭ１１、Ｍ３１はオフの状態からオンの状態になる。また、スイッチＭ２１、Ｍ４１はオン状態からオフ状態になって、スイッチＭ２２、Ｍ４２はオフ状態からオン状態になることが想定されている。
【００３５】
ところが実際には、スイッチＭ３１、Ｍ３２のスイッチタイミングがスイッチＭ１１、Ｍ１２のスイッチタイミングより早くてＹ１にスキャンパルスが印加される瞬間にスイッチＭ１１がオフされてスイッチＭ１２がオンされる前に、スイッチＭ３１がオフされてスイッチＭ３２がオンされる場合が発生することがある。同様に、Ｙ２にスキャンパルスが印加される瞬間にスイッチＭ３１がオンされてスイッチＭ３２がオフされる前にスイッチＭ１１がオンされてスイッチＭ１２がオンされる場合が発生することがある。このため、スイッチＭ１１とスイッチＭ３２が同時にオンされたり、スイッチＭ１２とスイッチＭ３１が同時にオンされて、両電源線VSCH、VSCLの間が短絡され、電極Ｙ１、Ｙ２に所望の波形を出力できなくなる。また、不必要な電力消費を生じる。
【００３６】
このような短所を補完するために、スキャン電極Ｙi(i=１〜ｎ)にスキャンパルスが印加される時ごとに、所定時間、全ての選択用トランジスタをハイインピーダンスにさせ、電流を止めさせた後に、次のスキャンパルスを出力することが考えられる。
【００３７】
これにより、選択回路の出力がハイインピーダンスを維持する間、全てのスイッチがオフ状態であるのでスイッチタイミングによって回路が短絡されることを防止できる。
【００３８】
図６は、このような本発明の第１実施例による選択回路の駆動方法によって、スキャン電極（Ｙ１、Ｙ２、Ｙ３、...）に入力される波形を示した図である。図６で点線は選択回路の出力がハイインピーダンス状態になって出力電圧がフローティングされた状態を示したものである。
【００３９】
（第２実施例）
一方、本発明の第１実施例ではスキャン電極にスキャンパルスが印加される時ごとに全ての選択回路の出力がハイインピーダンス状態になるように設定したが、これとは異なって電圧が変わるスキャン電極に連結された選択回路の出力だけがハイインピーダンス状態になるように設定することもできる。
【００４０】
図７は本発明の第２実施例による選択回路の駆動方法によってスキャン電極（Ｙ１、Ｙ２、Ｙ３、...）に入力される波形を示した図である。
【００４１】
図７に示されているように、Ｙ１にスキャンパルスが印加された後、Ｙ２にスキャンパルスが印加される前に所定時間Ｙ１とＹ２を駆動する選択回路の出力をハイインピーダンス状態にしてＹ１とＹ２の電圧がフローティングされるようにする。この時、Ｙ３は電圧変化がないためにＹ３を駆動する選択回路の出力は正常状態を維持する。
【００４２】
同様に、Ｙ２にスキャンパルスが印加された後、Ｙ３にスキャンパルスが印加される前に所定時間Ｙ２とＹ３を駆動する選択回路の出力をハイインピーダンス状態に作ってＹ２とＹ３の電圧がフローティングされるようにする。この時、Ｙ１は電圧変化がないためにＹ１を駆動する選択回路の出力は正常状態を維持する。
【００４３】
本発明の第１及び第２実施例ではスキャンＩＣ内の選択回路とスキャン電極（Ｙ電極）の場合を例に挙げて説明したが、本発明の第１及び第２実施例はアドレスＩＣ内の選択回路とアドレス電極の場合にも同一に適用できる。
【００４４】
また、本発明の第１及び第２実施例では二つの選択回路を並列連結して一つの電極を駆動することを例に挙げて説明したが、本発明は三つ以上の選択回路を並列連結して一つの電極を駆動するようにすることもできる。
【００４５】
以上で本発明の好ましい実施例について詳細に説明しましたが、本発明はこれに限定されることはなく、その他の様々な変更や変形ができる。
【図面の簡単な説明】
【００４６】
【図１】一般的なプラズマディスプレイパネルの一部斜視図である。
【図２】一般的なプラズマディスプレイパネルの電極配列図である。
【図３】従来技術によるスキャンＩＣとスキャン電極の連結状態を示した図である。
【図４】本発明の実施例によるプラズマディスプレイパネルを示す図である。
【図５】本発明の第１実施例によるＹ電極駆動部に含まれたスキャンＩＣとＹ電極の連結状態を示した図である。
【図６】本発明の第１実施例によるスキャンＩＣの駆動方法によってスキャン電極に入力される波形を示した図である。
【図７】本発明の第２実施例によるスキャンＩＣの駆動方法によってスキャン電極に入力される波形を示した図である。
【符号の説明】
【００４７】
１００…プラズマパネル、
２００…アドレス駆動部、
３２０…Ｙ電極駆動部、
３４０…Ｘ電極駆動部、
４００…制御部。
【図１】
2005141193.tif 000003
【図２】
2005141193.tif 000004
【図３】
2005141193.tif 000005
【図４】
2005141193.tif 000006
【図５】
2005141193.tif 000007
【図６】
2005141193.tif 000008
【図７】
2005141193.tif 000009